(57)【特許請求の範囲】
【請求項１】
内部に内容液の収容空間を区画、形成する主容器と、該主容器の口部に装着され、主容器内の内容液を吸引、加圧し外部に向けて吐出する吐出器と、前記主容器内の内容液と混合して使用する内容液の収容空間を区画、形成するとともに、該収容空間に通じる開口を形成する口部を突設する副容器と、を備える液体吐出容器において、
前記主容器の底部に突設され、該主容器内の収容空間に通じる開口を形成する筒状部と、
前記副容器の口部に装着される栓体と、
前記筒状部に保持されるとともに、前記栓体を前記副容器とともに前記筒状部の突出方向にスライド可能に抜け止め保持し、かつ、前記主容器の収容空間と前記副容器の収容空間とを連通する連通孔を有するアダプタと、
前記主容器の収容空間内で前記アダプタに保持され、前記連通孔から落下した内溶液を捕捉する計量部材と、を備え、
前記栓体は、前記副容器の口部の開口を覆う上壁と、該上壁から立ち上がり前記栓体の、前記アダプタに対する近接方向へのスライド移動により先端部が前記連通孔に嵌入して該連通孔を閉塞する棒状の凸部と、該凸部の周りを取り囲み前記アダプタの環状溝内に差し込まれて前記栓体の、前記アダプタに対するスライド移動に伴い該環状溝内で摺動する環状壁と、前記凸部および前記環状壁間で前記上壁の一部を開口する注出孔と、を有し、
前記環状壁の外周面の先端部には、前記栓体を前記アダプタから離間する方向にスライド移動させた際に、前記環状溝内に形成された環状リブと係合して前記栓体を抜け止め保持する環状リブが形成されており、
前記栓体および前記副容器の、前記アダプタに対する離間方向へのスライド移動により、前記副容器内の内容液を前記注出孔および前記連通孔を通じて前記主容器の収容空間内に注出させることを特徴とする液体吐出容器。
【請求項２】
前記栓体の前記上壁の周縁から垂下する環状の外壁と、該外壁に摺接する壁面である前記アダプタの筒部の内周面との間には、互いに係合して、前記栓体の、前記突出方向に沿ったスライド移動を案内するガイド手段となる縦溝および縦リブを設けてなる、請求項１に記載の液体吐出容器。
【請求項３】
前記計量部材は、前記アダプタとは別体に形成され、下方に向けて開口する開口端が前記アダプタの保持筒に保持されるとともに、該計量部材の内部と前記主容器の収容空間内とを連通する開口部を有する、請求項１または２に記載の液体吐出容器。
【発明の詳細な説明】
【技術分野】
【０００１】
この発明は、内部に液体の収容空間を形成する主容器と、該収容空間内の内溶液を吸引、加圧し外部に向けて吐出する吐出器と、主容器内の内容液と混合すべき内容液を収容可能な副容器と、を備える液体吐出容器に関し、とくには、吐出器を取り外すことなく、副容器内の内容液を主容器内に注入可能な容器を提案しようとするものである。
【背景技術】
【０００２】
薬剤や洗剤の中には、保管時には二種類の液を分離して保管し、使用直前に二液を混合あるいは希釈して使用するものがある。そして、従来、主容器内の液体を噴出できる吐出器を備え、主容器内の液体と混合して使用する薬剤を、使用直前まで混合しないで一体に保管することができる容器が提案されている（特許文献１参照。）。この文献に開示された容器は、吐出器の後方突出部分に下端を開口した空隙部を形成し、該空隙部内に主容器内の液体と混合して使用する薬剤を収容する副容器を抜き出し可能に嵌合、係止したものである。
【先行技術文献】
【特許文献】
【０００３】
【特許文献１】実開平７−３３８６６号公報
【発明の概要】
【発明が解決しようとする課題】
【０００４】
しかしながら、このような従来の容器では、副容器内の薬剤を主容器内に注ぐためには、吐出器を主容器から取り外し、主容器の口部を通じて行わなければならず、作業が煩雑であるとともに、副容器内の薬剤を主容器に注ぎこむ際にこぼしてしまうおそれが多分にあった。
【０００５】
それゆえ、この発明は、吐出器を取り外すことなく、副容器内の内溶液を主容器内に注入することができ、しかもこぼすことなくその注入が可能な液体吐出容器を提案することを目的とするものである。
【課題を解決するための手段】
【０００６】
この発明は、上記課題を解決するためになされたものであり、この発明の液体吐出容器は、内部に内容液の収容空間を区画、形成する主容器と、該主容器の口部に装着され、主容器内の内容液を吸引、加圧し外部に向けて吐出する吐出器と、前記主容器内の内容液と混合して使用する内容液の収容空間を区画、形成するとともに、該収容空間に通じる開口を形成する口部を突設する副容器と、を備える液体吐出容器において、前記主容器の底部に突設され、該主容器内の収容空間に通じる開口を形成する筒状部と、副容器の口部に装着される栓体と、前記筒状部に保持されるとともに、前記栓体を前記副容器とともに前記筒状部の突出方向にスライド可能に抜け止め保持し、かつ、前記主容器の収容空間と前記副容器の収容空間とを連通する連通孔を有するアダプタと、前記主容器の収容空間内で前記アダプタに保持され、前記連通孔から落下した内容液を補足する計量部材と、を備え、前記栓体は、前記副容器の口部の開口を覆う上壁と、該上壁から立ち上がり前記栓体の、前記アダプタに対する近接方向のスライド移動により先端部が前記連通孔に嵌入して該連通孔を閉塞する棒状の凸部と、該凸部の周りを取り囲み前記アダプタの環状溝内に差し込まれて前記栓体の、前記アダプタに対するスライド移動に伴い該環状溝内で摺動する環状壁と、前記凸部および前記環状壁間で前記上壁の一部を開口する注出孔と、を有し、前記環状壁の外周面の先端部には、前記栓体を前記アダプタから離間する方向にスライド移動させた際に、前記環状溝内に形成された環状リブと係合して前記栓体を抜け止め保持する環状リブが形成されており、前記栓体および前記副容器の、前記アダプタに対する離間方向へのスライド移動により、前記副容器内の内容液を前記注出孔および前記連通孔を通じて前記主容器の収容空間内に注出させることを特徴とするものである。
【０００７】
かかる液体吐出容器を用いて、例えば、副容器内に収容された薬剤または洗剤とすることができる濃縮液を水で希釈して使用する場合には、副容器がアダプタに対して完全に押し込まれて栓体の凸部がアダプタの連通孔に嵌入された状態を初期状態として、副容器をアダプタから離間する方向に引っ張り、栓体および副容器をアダプタから後退させる。これにより、連通孔が開放され、副容器内の内容液は注出孔および連通孔を通って主容器内に注出される。次いで、所定量の内容液を主容器内に注出した後に、副容器および栓体をアダプタに対して押し込んで前進させ、栓体の凸部をアダプタの連通孔に嵌入する。そして、液体吐出容器をひっくり返し、吐出器を主容器の口部から取り外し、該口部の開口から所定の希釈倍率に応じた希釈液（例えば水）を充填する。
【０００８】
したがって、この液体吐出容器によれば、吐出器を取り外すことなく、副容器内の内溶液を主容器内に注入することができ、しかも副容器と主容器とがアダプタを介して連結された状態にて副容器内の内容液の注入を行うことができるため、こぼすことなくその注入が可能である。さらに、副容器をアダプタに対して上下にスライドするだけで連通孔の開閉が行えるので操作が容易であり、また、副容器内に複数回分の内容液を予め収容させておけば、副容器内の内容液を複数回にわたって混合、希釈して使用することが可能となる。あるいは、予め副容器内に多めの内容液を収容しておき、使用者の好みの量（好みの希釈倍率）に応じて適宜に副容器内の内容液を主容器内に注入することもできる。また、前記主容器の収容空間内に設けられた計量部材により、副容器から注出した内溶液を計量して所望の希釈倍率で主容器側の内溶液と混合することができる。
【０００９】
なお、この発明の液体吐出容器にあっては、前記栓体の前記上壁の周縁から垂下する環状の外壁と、該外壁に摺接する壁面である前記アダプタの筒部の内周面との間には、互いに係合して、前記栓体の、前記突出方向に沿ったスライド移動を案内するガイド手段となる縦溝および縦リブを設けることが好ましく、これによれば、副容器をアダプタに対して安定して進退させることができ、栓体による連通孔の密閉および開放をより確実に行うことができる。
【００１０】
さらに、この発明の液体吐出容器にあっては、計量部材は、前記アダプタとは別体に形成され、下方に向けて開口する開口端が前記アダプタの保持筒に保持されるとともに、該計量部材の内部と前記主容器の収容空間内とを連通する開口部を有することが好ましく、これによれば、計量部材の内溶液と主容器内の内容液とを確実に混合することができる。
【発明の効果】
【００１１】
この発明によれば、吐出器を取り外すことなく、副容器内の内溶液を主容器内に注入することができ、しかも副容器と主容器とがアダプタを介して連結された状態にて副容器内の内容液の注入を行うことができるため、こぼすことなくその注入が可能である。また、主容器の収容空間内に設けられた計量部材により、副容器から注出した内溶液を計量して所望の希釈倍率で主容器側の内溶液と混合することができる。
【図面の簡単な説明】
【００１２】
【図１】図１は、この発明にしたがう一実施形態の液体吐出容器を、一部を断面で示した側面図である。
【図２】図１の液体吐出容器の要部を一部断面で示す側面図である。
【図３】図１の液体吐出容器を用いて、副容器内の内容液を主容器内に注入する様子を一部断面で示す側面図である。
【図４】この発明に適用可能なリフィル容器（副容器）を、一部を断面で示した側面図である。
【発明を実施するための形態】
【００１３】
以下、この発明の実施の形態を図面に基づき詳細に説明する。
【００１４】
図１に示すように、この液体吐出容器１は、合成樹脂製の主容器３と、主容器３の口部に装着された吐出器５と、主容器３内の内容液と混合して使用する内容液を収納する合成樹脂製の副容器７とを備えるものである。
【００１５】
主容器３は、透明または半透明の樹脂にて形成され、吐出器５が装着される口部と、該口部につながり容器を操作する際に使用者に保持されるグリップ部９ａを上部に形成する胴部９と、該胴部９の下端につながり胴部９との間に内容液の収納空間Ｓ１を区画、形成する底部１１とを有している。さらに、主容器３は、底部１１の中央に下方に向けて突出し、内側に主容器３内の収容空間Ｓ１に通じる開口を形成する筒状部１３が一体に設けられており、該筒状部１３の外周面には環状突起１３ａが形成されている。
【００１６】
副容器７は、筒状の胴部１７と胴部１７の下端を閉塞して内側に内容液の収納空間Ｓ２を区画、形成する底部１９と、胴部１７に肩部２１を介して連結され、内側に収納空間Ｓ２に通じる開口を形成する筒状の口部２３とを有し、口部２３の外周面にはねじ２３ａが形成されている。胴部１７の上部には、肩部２１まで延びる指掛け用の凹部１７ａが周方向に複数、ここでは４つ設けられている。
【００１７】
吐出器５は、ここでは、操作レバー５ａの繰り返しの牽曳により、主容器３内の液体を吸引、加圧および圧送するポンプ５ｂと、このポンプ５ｂによって圧送された液体を外界へ向けて噴射する噴射ノズル５ｃとを備えたトリガー式のものを例示し、該吐出器５は、キャップ５ｄを介して主容器３の口部に着脱自在に固定されている。
【００１８】
また、この液体吐出容器１は、図２に詳細を示すように、筒状部１３に保持されるとともに、副容器７の口部２３に装着された後述の栓体５３を該副容器７とともに筒状部１３の突出方向（ここでは液体吐出容器１の口部の軸方向Ｏに一致する方向）にスライド可能に抜け止め保持するアダプタ２７が設けられている。よって、副容器７は、栓体５３を介してアダプタ２７によって、筒状部１３と副容器７の口部２３とを向き合わせた姿勢にて保持されている。
【００１９】
アダプタ２７は、具体的には、筒状部１３の周りを取り囲むとともに筒状部１３の環状突起１３ａに係合（アンダーカット係合）する環状突起２９ａを内周面に有する第１筒部２９、およびこの第１筒部２９ａの下端につながり、後述する栓体５３の外壁５７の周りを取り囲む第２筒部３１からなる内筒３３と、該内筒３３の内側に延びる隔壁３５とを有する。さらに隔壁３５には、その相互間に下方に向けて開口する環状溝３７を形成する内側環状壁３９および外側環状壁４１と、内側環状壁３９の径方向内側（ここでは隔壁３５の中央）で主容器３の収容空間Ｓ１と副容器７の収容空間Ｓ２とを連通する連通孔４３とが形成されている。外側環状壁４１の上端には、後述する計量部材６７を保持する保持筒４５が上方に向けて延設されている。また、アダプタ２７は、内筒３３の外周面から径方向外側に延びる横壁４７と、横壁４７の外周縁に垂直に連結された外筒４９とからなり、内筒３３を覆い隠すとともにアダプタ２７自体を補強するカバー部材５０が設けられている。ここでは、カバー部材５０の外筒４９は副容器７の肩部２１近傍から主容器３の底部１１近傍まで延びる。カバー部材５０は必ずしも設ける必要はない。
【００２０】
また、アダプタ２７の隔壁３５の、第１筒部２９と外側環状壁４１との間の環状面３５ａ上には、筒状部１３の突端が圧接する樹脂製またはゴム製の環状シール部材５１が配置されており、これにより主容器３の底部１１は液密にシールされている。
【００２１】
また、この液体吐出容器１は、副容器７の口部２３に装着された栓体５３を備えている。栓体５３は、口部２３の開口を覆う上壁５５と、該上壁５５の周縁から垂下して副容器７の口部２３のねじ２３ａと係合するねじ５７ａを内周面に有する環状の外壁５７と、該外壁５７の内側で上壁５５から垂下して副容器７の口部２３内壁に嵌入されるシール筒５９とを有する。さらに、栓体５３には、上壁５５の中央から立ち上がり、先端部がアダプタ２７の連通孔４３に嵌合する棒状の凸部６１と、該凸部６１の周りを取り囲みアダプタ２７の環状溝３７内に差し込まれて環状溝３７内で摺動する環状壁６３と、凸部６１および環状壁６３間で上壁５５の一部を開口する注出孔６５とが形成されている。環状壁６３の外周面の先端部には、栓体５３を下方（アダプタ２７から離間する方向）にスライド移動させた際に、外側環状壁４１の内周面の基端部に形成された環状リブ４１ａと係合（アンダーカット係合）して栓体５３を抜け止め保持する環状リブ６３ａが形成されている。
【００２２】
さらに、栓体５３の外壁５７には、筒状部１３の突出方向Ｏに沿って複数の縦溝（または縦リブ）５７ｂが形成されるとともに、アダプタ２７の、栓体５３の外壁５７に摺接する壁面である第２筒部３１の内周面には、該縦溝５７ｂと係合して栓体５３の方向Ｏに沿ったスライド移動を案内する縦リブ（または縦溝）３１ａが形成されており、これらの縦溝５７ｂおよび縦リブ３１ａはガイド手段を構成する。
【００２３】
また、この実施形態では、主容器３の収容空間Ｓ１内には、下方に向けて開口するとともにその開口端がアダプタ２７の保持筒４５に保持され、連通孔４３から落下した内容液を捕捉する有底筒状の計量部材６７が設けられている。計量部材６７は透明または半透明の樹脂により形成され、内部に溜まった内溶液の量を外部から把握することができるようになっている。これに関連して計量部材６７の外壁面には、計量部材６７に溜まった内容液の量を表示する目盛りを設けても良い。また、計量部材６７の開口端近傍には、計量部材６７の内部と主容器３の収容空間Ｓ１とを連通し、計量部材６７によって計量した内容液を容器１を傾けることで収容空間Ｓ１内に流出させる開口部６７ａが設けられている。ここでは、開口部６７ａは周上２箇所設けられているが、開口部６７ａは１つでも良い。
【００２４】
かかる構成になる液体吐出容器１を用いて、例えば、副容器７内に収容された薬剤または洗剤とすることができる濃縮液を水で希釈して使用する場合には、副容器７がアダプタ２７に対して完全に押し込まれて栓体５３の凸部６１の先端部がアダプタ２７の連通孔４３に嵌入された状態を初期状態として、図３に示すように、副容器７をアダプタ２７から離間する方向（上方）に引っ張り、栓体５３および副容器７をアダプタ２７から後退させる。これにより副容器７内の内容液は、自重によりあるいは副容器７をスクイズ可能に構成した場合にはスクイズ操作により、注出孔４５ｂおよび連通孔３５を通って主容器３内の計量部材６７内に注出される。所定量の内容液を計量部材６７内に注出した後には、副容器７および栓体５３をアダプタ２７に対して押し込んで前進させ、栓体５３の凸部６１の先端部をアダプタ２７の連通孔４３に嵌入する。そして、液体吐出容器１のひっくり返し、すなわち主容器３の口部を上方に向け、吐出器５を主容器３の口部から取り外し、該口部の開口から所定の希釈倍率に応じた希釈液（例えば水）を充填する。
【００２５】
したがって、この液体吐出容器１によれば、吐出器５を取り外すことなく、副容器７内の内溶液を主容器３内に注入することができ、しかも副容器７と主容器３とがアダプタ２７を介して連結された状態にて副容器７内の内容液の注入を行うことができるため、こぼすことなくその注入が可能である。さらに、副容器７をアダプタ２７に対して上下にスライドするだけで連通孔４３の開閉が行えるので操作が容易であり、また、副容器７内に複数回分の内容液を予め収容させておけば、副容器７内の内容液を複数回にわたって混合、希釈して使用することが可能となる。あるいは、予め副容器内に多めの内容液を収容しておき、使用者の好みの量（好みの希釈倍率）に応じて適宜に副容器内の内容液を主容器内に注入することもできる。
【００２６】
また、この実施形態では、栓体５３とアダプタ２７との間に、栓体５３の、突出方向Ｏに沿ったスライド移動を案内するガイド手段を設けたことから、副容器７をアダプタ２７に対して安定して進退させることができ、栓体５３による連通孔４３の密閉および開放をより確実に行うことができる。
【００２７】
さらに、この実施形態では、主容器３の収容空間Ｓ１内に、アダプタ２７に保持され、連通孔４３から落下した内溶液を捕捉する計量部材６７を設けたことから、副容器７から注出した内溶液を計量して所望の希釈倍率で主容器３側の内溶液と混合することができる。また、この例では、計量部材６７をアダプタ２７とは別体に形成したことから、計量する内溶液の量に応じて計量部材６７を変更、交換して使用することができる。
【００２８】
さらには、計量部材６７に該計量部材６７の内部と主容器３の収容空間Ｓ１内とを連通する開口部６７ａを設けたことから、計量部材６７の内溶液と主容器３内の内容液とを確実に混合することができる。
【００２９】
さらに、この実施形態によれば、主容器３および計量部材６７を、透明または半透明の樹脂にて形成したことから、計量部材６７内に流入した内容液の量を容器外から確実に視認することができる。なお、主容器３および計量部材６７は、目盛りを形成した部分のみ透明または半透明にしてもよく、この場合、例えば、透明または半透明な部分を主容器３の軸方向に沿って形成することができる。また、副容器７を透明または半透明に形成するかあるいは透明または半透明な部分を設けるとともに、目盛り等を設けてもよく、これによれば、副容器７側にて注出した内容液の量を把握することができる。
【００３０】
また、この発明は、図４に示すようなレフィル容器を副容器７として用いることができ、これによれば、主容器３内の内容物を使い切った後にも主容器３を繰り返して使用することができる。なお、図４中、符号７０は、副容器の口部にねじ止めされた蓋体である。
【００３１】
以上、図示例に基づきこの発明を説明したが、この発明は、特許請求の範囲の記載範囲内で適宜に変更可能であり、例えば、上記実施形態では、栓体は副容器の口部にねじ止めされているが、栓体を副容器に嵌合により固定するようにしてもよい。また、上記実施形態では、吐出器をポンプ式ものとして説明したが、吐出器はこれに限定されず、スプレー式のものとしてもよい。
【産業上の利用可能性】
【００３２】
かくして、この発明により、吐出器を取り外すことなく、副容器内の内溶液を主容器内に注入することができ、しかもこぼすことなくその注入が可能な液体吐出容器を提案することが可能となる。
【符号の説明】
【００３３】
１  液体吐出容器
３  主容器
５  吐出器
７  副容器
２７  アダプタ
４３  連通孔
５３  栓体
６１  凸部
６５  注出孔
６７  計量部材
６７ａ  開口部
【図１】
0005611788.tif 000002
【図２】
0005611788.tif 000003
【図３】
0005611788.tif 000004
【図４】
0005611788.tif 000005